(57)【要約】      （修正有）【課題】シンプルな構造でＰＴＰシートを容易に包装することができ、優れたチャイルドレジスタンス性を有したＰＴＰ用包装体を提供する。【解決手段】主折罫線１４を介して連続する第一及び第二外板１６，１８を備える。第一外板１６は、内側が第一補助折罫線２２で区切られ、先端部に第一内板２８及び第一舌部３２を備える。第二外板１８は、内側が第二補助折罫線２６で区切られ、先端部に第二内板３６及び第二舌部４０を備える。第一外板１６と第一内板２８の内側に、ＰＴＰシートの突出部が嵌合可能な外側透孔２０と第一内側透孔３４を備える。第二内板３６の内側に、ＰＴＰシートの閉鎖部分に対応した大きさの第二内側透孔４２を備える。主折罫線１４と重なる位置に、第一及び第二舌部３２，４０を挿通可能な舌部挿通孔４４を備える。組み立て状態で、外側透孔２０、第一及び第二内側透孔３４，４２及が厚み方向に重なる。【選択図】図２
0003206242.tif 000002
【実用新案登録請求の範囲】
【請求項１】
収容物を内側に収容した突出部と前記突出部の周囲に設けられたフランジ部とを有するプラスチック成形体に、破断可能な薄形シートが貼り付けられて前記突出部の開口端が閉鎖されたＰＴＰシートを包装するためのＰＴＰ用包装体において、
１枚の台紙から成り、前記台紙は、主折罫線を介して互いに連続する第一及び第二外板と、前記第一外板の、前記主折罫線と反対側の端部に延設され、前記主折罫線に対向する第一副折罫線により前記第一外板と区切られた第一内板と、前記第二外板の、前記主折罫線と反対側の端部に延設され、前記主折罫線に対向する第二副折罫線により前記第二外板と区切られた第二内板とを有し、
前記第一内板の内側の、前記第一副折罫線と反対側の端部には、前記第一外板より幅狭な第一舌部が設けられ、この第一舌部の内側に、前記突出部が嵌合可能な大きさの第一内側透孔が設けられ、前記第二内板の内側の、前記第二副折罫線と反対側の端部には、前記第二外板より幅狭な第二舌部が設けられ、この第二舌部の内側に、前記薄形シートの、前記突出部の開口端を塞いでいる閉鎖部分に対応した大きさの第二内側透孔が設けられ、前記第一外板の内側には、前記突出部が嵌合可能な大きさの外側透孔と、前記主折罫線に対向する第一補助折罫線が設けられ、前記第二外板の内側には、前記主折罫線に対向する第二補助折罫線が設けられ、少なくとも前記第一又は第二外板の内側の、前記主折罫線と重なる位置に、前記第一及び第二舌部を挿通可能な大きさの舌部挿通孔が設けられ、
組み立て状態で、前記第一内板は、前記第一副折罫線が折れて前記第一外板に重なり、前記外側透孔と前記第一内側透孔とが連通し、前記第二内板は、前記第二副折罫線が折れて前記第二外板に重なり、さらに、前記第一内板は、前記主折罫線が折れて前記第二内板に重なり、間に前記ＰＴＰシートを配した状態で、当該ＰＴＰシートに対面しない部分が前記第二内板に糊付けされ、前記ＰＴＰシートは、前記突出部が前記外側透孔及び前記第一内側透孔を通じて外側に突出し、前記フランジ部及び前記薄形シートが前記第一内板及び前記第二内板に挟まれて保持され、前記閉鎖部分が前記第二内側透孔に対向し、
使用者が、前記主折罫線と前記第一及び第二副折罫線とを近づける方向に力を加えると、前記第一及び第二外板が前記第一及び第二補助折罫線で折れて外側に広がって、前記突出部と前記外側透孔との嵌合が解除され、前記第一及び第二舌部が前記舌部挿通孔を通じて外側に移動して、前記第一内側透孔及び前記突出部と、前記第二内側透孔及び前記閉鎖部分とが露出することを特徴とするＰＴＰ用包装体。
【請求項２】
前記第一外板の、前記主折罫線と交差する第一端辺、及び前記第二外板の、前記第一端辺と連続する第二端辺には、組み立て状態で、使用者の操作により互いに着脱可能に係合する係合部及び係合受け部が一対に設けられている請求項１記載のＰＴＰ用包装体。
【請求項３】
前記係合部は、前記第一又は第二端辺の２箇所から内向きに設けられた一対の切り込み線の間に挟まれた係合片であり、前記係合受け部は、前記第一又は第二端辺の、前記係合部に対応する位置に内向きに設けられた切り欠きである請求項２記載のＰＴＰ用包装体。
【考案の詳細な説明】
【技術分野】
【０００１】
本考案は、医療用の薬剤等を収容したＰＴＰシートの包装に使用されるＰＴＰ用包装体に関する。
【背景技術】
【０００２】
ＰＴＰシートは、従来から、医療用の薬剤等を収容する用途に広く使用されている。例えば、図１１に示すＰＴＰシート１は、突出部２ａと突出部２ａの周囲に設けられたフランジ部２ｂとを有した透明又は半透明のプラスチック成形体２と、破断可能なアルミ箔等で成る薄形シート３とで構成され、プラスチック成形体２のフランジ部２ｂに薄形シート３を貼り付けることによって、収容物Ｓが入った突出部２ａの開口端を閉鎖している。突出部２ａの頂部を外側から指で押し込むと、薄形シート３の閉鎖部分３ａが収容物Ｓに押されて破断し、収容物Ｓが外に押し出され、収容物Ｓを取り出すことができる。ＰＴＰシート１は突出部２ａが１個のタイプであり、外形は非常に小さい（例えば、約１．５〜２ｃｍ角）。また、図１２に示すＰＴＰシート４は、突出部２ａが１０個のタイプである（例えば、約４ｃｍ×１０ｃｍ）。
【０００３】
従来から、子供による薬剤の誤飲を防止等するため、ＰＴＰシートを所定の包装体で包装し、ＰＴＰシート内の薬剤を不用意に取り出しにくくする技術（チャイルドレジスタンス性を付与する技術）が提案されている。例えば、特許文献１の図１３〜図１８に開示されているように、大きい窓部を有し窓部の端部に所定の係止片が形成された表面パネルと、薬剤取り出し孔が形成された背面パネルとが、折罫線で区切られて連続する台紙から成るＰＴＰホルダがあった。このＰＴＰホルダは、表面パネルと背面パネルの間にＰＴＰシートを挟み、表面パネルの窓部からＰＴＰシートの突出部を突出させ、ＰＴＰシートをスライド可能な状態で、表面パネルと背面パネルが互いに糊付けされる。例えば、小さい子供がＰＴＰホルダを手に持ってＰＴＰシートをスライドさせたとしても、フランジ部の側端面が係止片の端面に係止されて閉鎖部分が薬剤取り出し孔の位置まで移動しないので、薬剤を取り出すことはできない。薬剤を取り出すときは、フランジ部が係止片に乗り上げるようにＰＴＰシートをスライドさせるという特別な操作を行い、閉鎖部分が薬剤取り出し孔の位置まで移動させると、突出部の頂部を外側から指で押し込むことによって、薬剤取り出し孔を通じて薬剤を取り出すことができる。
【先行技術文献】
【特許文献】
【０００４】
【特許文献１】特開２０１６−８８５３３号公報
【考案の概要】
【考案が解決しようとする課題】
【０００５】
特許文献１のＰＴＰホルダは、表面パネルの係止片の端面が、ＰＴＰシートのフランジ部の端面に対するストッパの働きをする構造なので、ＰＴＰシートのフランジ部の厚み（薄形シートの厚みを含む）が変更になると、都度、適切な厚みの台紙を用意しなければならない。
【０００６】
また、例えば、台紙として一般的な厚紙等を使用した場合、係止片の端面にプラスチック製のフランジ部が何回か衝突すると、係止片が摩耗したり変形したりするので、ストッパの働きができなくなり、チャイルドレジスタンス性が著しく低下してしまうおそれがある。
【０００７】
本考案は、上記背景技術に鑑みて成されたものであり、シンプルな構造でＰＴＰシートを容易に包装することができ、優れたチャイルドレジスタンス性を有したＰＴＰ用包装体を提供することを目的とする。
【課題を解決するための手段】
【０００８】
本考案は、収容物を内側に収容した突出部と前記突出部の周囲に設けられたフランジ部とを有するプラスチック成形体に、破断可能な薄形シートが貼り付けられて前記突出部の開口端が閉鎖されたＰＴＰシートを包装するためのＰＴＰ用包装体であって、
１枚の台紙から成り、前記台紙は、主折罫線を介して互いに連続する第一及び第二外板と、前記第一外板の、前記主折罫線と反対側の端部に延設され、前記主折罫線に対向する第一副折罫線により前記第一外板と区切られた第一内板と、前記第二外板の、前記主折罫線と反対側の端部に延設され、前記主折罫線に対向する第二副折罫線により前記第二外板と区切られた第二内板とを有し、
前記第一内板の内側の、前記第一副折罫線と反対側の端部には、前記第一外板より幅狭な第一舌部が設けられ、この第一舌部の内側に、前記突出部が嵌合可能な大きさの第一内側透孔が設けられ、前記第二内板の内側の、前記第二副折罫線と反対側の端部には、前記第二外板より幅狭な第二舌部が設けられ、この第二舌部の内側に、前記薄形シートの、前記突出部の開口端を塞いでいる閉鎖部分に対応した大きさの第二内側透孔が設けられ、前記第一外板の内側には、前記突出部が嵌合可能な大きさの外側透孔と、前記主折罫線に対向する第一補助折罫線が設けられ、前記第二外板の内側には、前記主折罫線に対向する第二補助折罫線が設けられ、少なくとも前記第一又は第二外板の内側の、前記主折罫線と重なる位置に、前記第一及び第二舌部を挿通可能な大きさの舌部挿通孔が設けられ、
組み立て状態で、前記第一内板は、前記第一副折罫線が折れて前記第一外板に重なり、前記外側透孔と前記第一内側透孔とが連通し、前記第二内板は、前記第二副折罫線が折れて前記第二外板に重なり、さらに、前記第一内板は、前記主折罫線が折れて前記第二内板に重なり、間に前記ＰＴＰシートを配した状態で、当該ＰＴＰシートに対面しない部分が前記第二内板に糊付けされ、前記ＰＴＰシートは、前記突出部が前記外側透孔及び前記第一内側透孔を通じて外側に突出し、前記フランジ部及び前記薄形シートが前記第一内板及び前記第二内板に挟まれて保持され、前記閉鎖部分が前記第二内側透孔に対向し、
使用者が、前記主折罫線と前記第一及び第二副折罫線とを近づける方向に力を加えると、前記第一及び第二外板が前記第一及び第二補助折罫線で折れて外側に広がって、前記突出部と前記外側透孔との嵌合が解除され、さらに、前記第一及び第二舌部が前記舌部挿通孔を通じて外側に移動して、前記第一内側透孔及び前記突出部と、前記第二内側透孔及び前記閉鎖部分とが露出するＰＴＰ用包装体である。その後、使用者が、前記外側透孔から外側に突出している前記突出部の頂部を押し込み、前記ＰＴＰシートの前記閉鎖部分を破断させると、前記第二内側透孔を通じて前記収容物を取り出すことができる。
【０００９】
前記第一外板の、前記主折罫線と交差する第一端辺、及び前記第二外板の、前記第一端辺と連続する第二端辺には、組み立て状態で、使用者の操作により互いに着脱可能に係合する係合部及び係合受け部が一対に設けられていることが好ましい。この場合、前記係合部は、前記第一又は第二端辺の２箇所から内向きに設けられた一対の切り込み線の間に挟まれた係合片であり、前記係合受け部は、前記第一又は第二端辺の、前記係合部に対応する位置に内向きに設けられた切り欠きであることが好ましい。
【考案の効果】
【００１０】
本考案のＰＴＰ用包装体は、構造がシンプルでＰＴＰシートを容易に包装することができる。しかも、優れたチャイルドレジスタンス性を有し、小さい子供にとっては難しいが、大人にとっては簡単な操作により、ＰＴＰシート内の収容物を容易に取り出すことができる。
【図面の簡単な説明】
【００１１】
【図１】本考案のＰＴＰ用包装体の第一の実施形態の組み立て状態を示す図であって、第一外板の側から見た斜視図（ａ）、第二外板の側から見た斜視図（ｂ）である。
【図２】第一の実施形態のＰＴＰ用包装体を形成する台紙を裏面側から見た展開図である。
【図３】第一の実施形態のＰＴＰ用包装体の組み立て工程を順に示す平面図（ａ）、（ｂ）、（ｃ）である。
【図４】第一の実施形態のＰＴＰ包装体から収容物を取り出すための動作を示す図であって、第一外板の側から見た斜視図（ａ）、第二外板の側から見た斜視図（ｂ）である。
【図５】第一の実施形態のＰＴＰ包装体から収容物を取り出すための動作を示す図であって、第一外板の側から見た斜視図（ａ）、第二外板の側から見た斜視図（ｂ）である。
【図６】本考案のＰＴＰ用包装体の第二の実施形態の組み立て状態を示す図であって、第一外板の側から見た斜視図（ａ）、第二外板の側から見た斜視図（ｂ）である。
【図７】第二の実施形態のＰＴＰ用包装体を形成する台紙を裏面側から見た展開図である。
【図８】第二の実施形態のＰＴＰ用包装体の組み立て工程を順に示す平面図（ａ）、（ｂ）、（ｃ）である。
【図９】第二の実施形態のＰＴＰ包装体から収容物を取り出すための動作を示す図であって、第一外板の側から見た斜視図（ａ）、第二外板の側から見た斜視図（ｂ）である。
【図１０】第二の実施形態のＰＴＰ包装体から収容物を取り出すための動作を示す図であって、第一外板の側から見た斜視図（ａ）、第二外板の側から見た斜視図（ｂ）である。
【図１１】一般的なＰＴＰシートの一例を示す正面図（ａ）、Ａ−Ａ断面図（ｂ）である。
【図１２】一般的なＰＴＰシートの他の例を示す正面図（ａ）、Ｂ−Ｂ断面図（ｂ）である。
【考案を実施するための形態】
【００１２】
以下、本考案のＰＴＰ用包装台紙の第一の実施形態について、図１〜図５に基づいて説明する。この実施形態のＰＴＰ用包装体１０は、図１１に示すＰＴＰシート１を包装するための包装体であり、図１（ａ）、（ｂ）に示すように、組み立て状態で、略長方形のカードのような外形になる。大きさは、例えば６ｃｍ×９ｃｍ程度である、
ＰＴＰ用包装体１０は、厚紙等で成る一枚の台紙１２を組み立てることによって形成される。台紙１２は、図２に示すように、主折罫線１４を介して互いに連続する第一外板１６と第二外板１８とを備えている。
【００１３】
第一外板１６は略長方形で、中央部に、ＰＴＰシート１の突出部２ａが嵌合可能な大きさの外側透孔２０が設けられている。また、主折罫線１４と平行な第一補助折罫線２２が設けられ、第一外板１６が、主折罫線側１４側の部分１６ａと反対側の部分１６ｂとに区切られている。また、部分１６ｂの、主折罫線１４と交差する両端部には、台形状の補強片２４が一対に延設され、それぞれ折罫線２４ａで部分１６ａと区切られている。
【００１４】
第二外板１８は、第一外板１６とほぼ同じ外形で、主折罫線１４と平行な第二補助折罫線２６により、主折罫線側１４側の部分１８ａと反対側の部分１８ｂとに区切られている。第二外板１８の部分１８ａ，１８ｂは、それぞれ第一外板１６の部分１６ａ，１６ｂとほぼ同じ形状である。
【００１５】
第一外板１６の、主折罫線１４と反対側の端部には、第一外板１６より小さい第一内板２８が延設され、第一副折罫線３０で第一外板１６と区切られている。第一内板２８の外形は略凸形状で、第一副折罫線３０と反対側の端部が、第一外板１６より幅狭な第一舌部３２になっている。そして、第一舌部３２の内側に、ＰＴＰシート１の突出部２ａが嵌合可能な大きさの第一内側透孔３２が設けられている。
【００１６】
第二外板１８の、主折罫線１４と反対側の端部には、第二外板１８より小さい第二内板３６が延設され、第二副折罫線３８で第二外板１８と区切られている。第二内板３６の外形は第一内板２８とほぼ同形状で、第二副折罫線３８と反対側の端部が、第二外板１８より幅狭な第二舌部４０になっている。そして、第二舌部４０の内側に、ＰＴＰシート１の、突出部２ａの開口端を塞いでいる閉鎖部分３ａに対応した大きさの第二内側透孔４２が設けられている。
【００１７】
さらに、第一及び第二外板１６，１８内側の、前記主折罫線と重なる位置に、第一及び第二舌部３２，４０を挿通可能な大きさの長穴である舌部挿通孔４４が設けられている。
【００１８】
次に、台紙１２を用いたＰＴＰシート１の包装方法、すなわち、ＰＴＰ用包装体１０の組み立て方法の一例を説明する。ここで、台紙１２の表面が凸になる折り方を正折り、裏面が凸になる折り方を逆折りと称する。
【００１９】
まず、第一副折罫線３０を正折りして第一内板２８を第一外板１６に重ね、第二副折罫線３８を正折りして第二内板３６を第二外板１８に重ねる。さらに、一対の補強部２４の裏面に糊４６を塗布し、それぞれ折罫線２４ａで正折りして第一外板１６の部分１６ａに重ね、糊付けする。これで、図３（ａ）に示すように、外側透孔２０と第一内側透孔３４とが連通するとともに、第一外板１６が一対の補強部２４により補強される。
【００２０】
次に、図３（ｂ）に示すように、第二内板３６の第二舌部４０の表面側の中央部に、ＰＴＰシート１を載置する。このとき、ＰＴＰシート１は、プレスチック成形体２（突出部２ａ、フランジ部２ｂ）を上にして、薄形シート３を第二舌部４０に当接させる。
【００２１】
そして、第二内板３６の表面の、ＰＴＰシート１が重なっていない部分に、糊４８を塗布した後、主折罫線１４を正折りし、第一外板１６及び第一内板２８を第二外板１８及び第二内板３６に重ね、第一内板２８と第二内板３６の表面同士を糊付けする。この状態で、ＰＴＰシート１は、図３（ｃ）に示すように、突出部２ａが外側透孔２０及び第一内側透孔３４を通じて外側に突出する。また、フランジ部２ｂ及び薄形シート３が第一内板２８及び第二内板３６に挟まれて保持され、閉鎖部分３ａが第二内側透孔４２に対向する。
【００２２】
これでＰＴＰシート１の包装の作業が終了し、図１（ａ）、（ｂ）に示すＰＴＰ用包装体１０の組み立て状態になる。ＰＴＰ用包装体１０は、長方形のカードのようなコンパクトな外形になり、第一及び第二舌部３２，４０の先端部が、舌部挿通孔４４から僅かに突出る。ＰＴＰシート１の閉鎖部分３ａは、第二外板１８に覆われているので、例えば、鞄に入れたときに突出部２ａが外から押圧されても、収容物Ｓが外に出てしまうことはない。
【００２３】
また、組み立て状態のＰＴＰ包装体１０を片手で持つと、第一外板１６の表面と第二外板１８表面に指を当てて、第一外板１６、第一内板２８，第二内板３６及び第二外板３６が順に重なった積層物を外側から挟持する形になる。したがって、小さい子供がいたずらしようとして、反対の手で第一及び第二舌部３２，４０の先端部を摘まんで引っ張ったとしても、第一及び第二舌部３２，４０が舌部挿通孔４４から出てこないので、収容物Ｓを取り出すことができない。
【００２４】
使用者が収容物Ｓを取り出すときは、ＰＴＰ用包装体１０を両手で持ち、舌部挿通孔１４を挟んで両側に位置する一対の主折罫線１４の部分と第一及び第二副折罫線３０．３８の部分に指を掛け、主折罫線１４と第一及び第二副折罫線３０．３８とを近づけるように力を加える。そうすると、図４（ａ）、（ｂ）に示すように、第一及び第二外板１６，１８が第一及び第二補助折罫線２２，２６で折れて外側に広がり、突出部２ａと外側透孔２０との嵌合が解除される。さらに、第一及び第二舌部３２，４０が舌部挿通孔４４を通じて外側に移動し、第一内側透孔３４及び突出部２ａと、第二内側透孔４２及び閉鎖部分３ａとが外側に露出し、図５（ａ）、（ｂ）に示す状態になる。そして、ＰＴＰシート１の突出部２ａの頂部を外側から押し込んで閉鎖部分３ａを破断させると、第二内側透孔４２を通じて収容物Ｓを取り出すことができる。
【００２５】
以上説明したように、ＰＴＰ用包装体１０は、シンプルな構造の台紙１２を組み立てることによってＰＴＰシート１を容易に包装することができ、薄いカード形のスマートな包装状態が得られる。そして、ＰＴＰシート１に収容された収容物Ｓを、ＰＴＰ用包装体１０内に包装された状態で、外から視認することができる。
【００２６】
また、組み立て状態のＰＴＰ用包装体１０は、小さい子供がいたずらしても収容物Ｓを簡単には取り出せないが、大人であれば、所定の操作を行って簡単に取り出すことができる。しかも、ＰＴＰシート１の突出部２ａを押し込む操作は、非常に小さいＰＴＰシート１を直接手で持つのではなく、適度に大きくてハンドリングしやすいＰＴＰ用包装体１０に入った状態（すなわち、図５（ａ）、（ｂ）に示す状態）で実施できるので、高齢者等にも非常に使いやすいものである。
【００２７】
次に、本考案のＰＴＰ用包装体の第二の実施形態について、図６〜図１０に基づいて説明する。ここで、上記のＰＴＰ包装体１０と同様の構成は、同一の符号を付して説明する。この実施形態のＰＴＰ用包装体５０は、図１２に示すＰＴＰシート４を包装するための包装体であり、図６（ａ）、（ｂ）に示すように、組み立て状態で、略長方形のカードのような外形になる。大きさは、例えば９ｃｍ×１５ｃｍ程度である、
ＰＴＰ用包装体５０は、図７に示す台紙５２を組み立てることによって形成される。台紙５２の構成は、上記の台紙１２と同様に、主折罫線１４、第一及び第二外板１６，１８、外側透孔２０、第一及び第二補助折罫線２２，２６、第一及び第二内板２８，３６、第一及び第二副折罫線３０，３８、第一及び第二舌部３２，４０、第一及び第二内側透孔３４，４２、舌部挿入孔４４を備えている。ただし、台紙５０の場合、包装する対象が図１１に示すＰＴＰシート１ではなく、図１２に示すＰＴＰシート４なので、これに合わせて各部の大きさが設定されている。また、ＰＴＰシート４は、収容物Ｓを収容する突出部２ａ及び閉鎖部分３ａが複数個設けられているので、各突出部２ａ及び各閉鎖部分３ａに対し、外側透孔２０、第一内側透孔３４及び第二内側透孔４２が別々に設けられている。
【００２８】
台紙５０は、上記実施形態の台紙１２とは異なり、第一外板１６を補強するための一対の補強片２４が省略され、新たに２組の係合部及び係合受け部（５４(1)及び５６(1)、５４(2)及び５６(2)）が設けられているという特徴がある。
【００２９】
第一外板１６の部分１６ａの、主折罫線１４と交差する第一端辺５８(1)の内側には、第一端辺５８(1)の２箇所を起点として内向きに一対の切り込み線６０(1)が設けられ、この一対の切り込み線６０(1)の間に挟まれた部分が係合部５４(1)になっている。係合部５４(1)は、基端部が折罫線６２(1)で区切られて舌片状に設けられている。係合受け部５６(1)は、係合部５４(1)が係合可能に形成された切り欠きであり、第二外板１８の部分１８ａの、第一端辺５８(1)に連続する第二端辺６４(1)から内向きに設けられている。
【００３０】
同様に、第一外板１６の部分１６ａの、第一端辺５８(1)と反対側の第一端辺５８(2)の内側には、第二端辺５８(2)の２箇所を起点として内向きに一対の切り込み線６０(2)が設けられ、この一対の切り込み線６０(2)の間に挟まれた部分が係合部５４(2)になっている。係合部５４(2)は、基端部が折罫線６２(2)に区切られて舌片状に設けられている。係合受け部５６(2)は、係合部５４(2)が係合可能に形成された切り欠きであり、第二外板１８の部分１８ａの、第一端辺５８(2)に連続する第二端辺６４(2)から内向きに設けられている。
【００３１】
次に、台紙５０を用いたＰＴＰシート４の包装方法、すなわち、ＰＴＰ用包装体５０の組み立て方法の一例を説明する。ここで、台紙１２の表面が凸になる折り方を正折り、裏面が凸になる折り方を逆折りと称する。
【００３２】
まず、第一副折罫線３０を正折りして第一内板２８を第一外板１６に重ね、第二副折罫線３８を正折りして第二内板３６を第二外板１８に重ねる。これで、図８（ａ）に示すように、外側透孔２０と第一内側透孔３４とが連通する。
【００３３】
次に、図８（ｂ）に示すように、第二内板３６の第二舌部４０の表面側の中央部に、ＰＴＰシート４を載置する。このとき、ＰＴＰシート４は、プレスチック成形体２（突出部２ａ、フランジ部２ｂ）を上にして、薄形シート３を第二舌部４０に当接させる。
【００３４】
そして、第二内板３６の表面の、ＰＴＰシート４が重なっていない部分に、糊４８を塗布した後、主折罫線１４を正折りし、第一外板１６及び第一内板２８を第二外板１８及び第二内板３６に重ね、第一内板２８と第二内板３６の表面同士を糊付けする。この状態で、ＰＴＰシート４は、図８（ｃ）に示すように、突出部２ａが外側透孔２０及び第一内側透孔３４を通じて外側に突出する。また、フランジ部２ｂ及び薄形シート３が第一内板２８及び第二内板３６に挟まれて保持され、閉鎖部分３ａが第二内側透孔４２に対向する。
【００３５】
その後、折罫線６２(1)を正折りし、係合部５４(1)を屈曲させて係合受け部５６(1)に係合させる。同様に、折罫線６２(2)を正折りし、係合部５４(2)を屈曲させて係合受け部５６(2)に係合させる。これでＰＴＰシート４の包装の作業が終了し、図６（ａ）、（ｂ）に示すＰＴＰ用包装体５０の組み立て状態になる。
【００３６】
使用者が収容物Ｓを取り出すときは、まず、２組の係合部及び係合受け部（５４(1)及び５６(1)、５４(2)及び５６(2)）の係合を解除し、その後、図９、図１０に示すように、ＰＴＰ用包装体１０で説明したのと同様の操作を行う。
【００３７】
以上説明したように、ＰＴＰ用包装体５０は、シンプルな構造の台紙５２を組み立てることによってＰＴＰシート４を容易に包装することができ、薄いカード形のスマートな包装状態が得られる。そして、ＰＴＰシート４に収容された収容物Ｓを、ＰＴＰ用包装体５０内に包装された状態で、外から視認することができる。
【００３８】
また、組み立て状態のＰＴＰ用包装体５０は、小さい子供がいたずらしても収容物Ｓを簡単には取り出せない。特に、ＰＴＰ用包装体５０の場合、ＰＴＰ用包装体１０の構成に加え、さらに２組の係合部及び係合受け部（５４(1)及び５６(1)、５４(2)及び５６(2)）が付設されているので、さらにチャイルドレジスタンス性が向上している。しかし、大人であれば、所定の操作を行うことによって収容物Ｓを簡単に取り出すことができる。
【００３９】
なお、本考案のＰＴＰ用包装体は、上記実施形態に限定されるものではない。例えば、第一及び第二外板や第一及び第二内板の形状は、使用者のハンドリングのしやすさやデザイン性等を考慮して、適宜変更することができる。ＰＴＰ能包装体１０，５０の場合、組み立て状態で、第一及び第二外板１６，１８の間に第一及び第二内板３２，３８の全体が収まる構造にして、ＰＴＰシート１，４の保護を強化している。例えば、第一及び第二外板１６，１８を小さくして第一及び第二内板３２，３８の一部が外に露出する構造に変更し、各板を異なる色に着色する等すれば、一定の装飾効果を得ることができる。
【００４０】
ＰＴＰ用包装体１０は、一対の補強片２４が設けられ、第一外板１６の部分１６ａが補強されているが、補強の必要がなければ、補強片２４を省略することができる。
【００４１】
ＰＴＰ用包装体５０は、第一外板１６の第一端辺５８(1)，５８(2)に係合部５４(1)，５４(2)が設けられ、第二外板１８の第二端辺６４(1)，６４(2)に係合受け部５６(1)，５６(2)が設けられている。この構成は変更することができ、例えば、係合部５４(2)及び係合受け部５６(2)を省略して、係合部及び係合受け部を１組にしてもよい。また、第一外板１６の第一端辺５８(1)，５８(2)の方に係合受け部５６(1)，５６(2)を設け、第二外板１８の第二端辺６４(1)，６４(2)の方に係合部５４(1)，５４(2)を設けてもよい。その他、係合片及び係合受け部の構造は適宜変更することができ、組み立て状態で、使用者の操作により互いに着脱可能に係合なものであれば、上記の舌片（係合部５４(1)，５４(2)）と切り欠き（受け部５６(1)，５６(2)）以外の構造に変更してもよい。
【００４２】
その他、台紙は、厚紙以外の素材を使用してもよい。また、ＰＴＰシートに収容される収容物は、医療用の薬剤に限らず他の商品でもよい。
【符号の説明】
【００４３】
１，４  ＰＴＰシート
２  プラスチック成形体
２ａ  突出部
２ｂ  フランジ部
３  薄形シート
３ａ  閉鎖部分
１０，５０  ＰＴＰ用包装体
１２，５２  台紙
１４  主折罫線
１６  第一外板
１８  第二外板
２０  外側透孔
２２  第一補助折罫線
２６  第二補助折罫線
２８  第一内板
３０  第一副折罫線
３２  第一舌部
３４  第一内側透孔
３６  第二内板
３８  第二副折罫線
４０  第二舌部
４２  第二内側透孔
４４  舌部挿通孔
４８  糊
５４，５４(1)，５４(2)  係合部
５６，５６(1)，５６(2)  係合受け部
６０(1)，６０(2)  切り込み線
【図１】
0003206242.tif 000003
【図２】
0003206242.tif 000004
【図３】
0003206242.tif 000005
【図４】
0003206242.tif 000006
【図５】
0003206242.tif 000007
【図６】
0003206242.tif 000008
【図７】
0003206242.tif 000009
【図８】
0003206242.tif 000010
【図９】
0003206242.tif 000011
【図１０】
0003206242.tif 000012
【図１１】
0003206242.tif 000013
【図１２】
0003206242.tif 000014